【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
印刷ジョブに基づいて画像データを取得するコントローラと、
前記画像データに基づいて画像処理を行う第１の画像処理部と第２の画像処理部と、を備え、
前記コントローラは、
前記画像データのうち、前記第１の画像処理部の処理対象領域となる第１画像データを前記第１の画像処理部へ送信し、前記第２の画像処理部の処理対象領域となる第２画像データを前記第２の画像処理部へ送信する送信手段と、
前記印刷ジョブに対応する印刷設定である用紙サイズを条件に、第１の送信制御及び第２の送信制御を含む複数の送信制御の中から選択して実行する送信制御手段と、
を備え、
前記第１の送信制御は、前記第１画像データに含まれる複数のバンドデータを前記第１の画像処理部へ送信し、前記第１の画像処理部への前記複数のバンドデータの送信開始から送信終了までの間に、前記第２画像データに含まれる少なくとも１つのバンドデータを前記第２の画像処理部へ送信する制御であり、
前記第２の送信制御は、前記第１画像データに含まれる複数のバンドデータを送信した後に、前記第２画像データに含まれる複数のバンドデータを送信する制御である、
ことを特徴とする画像処理装置。
【請求項２】
印刷ジョブに基づいて画像データを取得するコントローラと、
前記画像データに基づいて画像処理を行う第１の画像処理部と第２の画像処理部と、を備え、
前記コントローラは、
前記画像データのうち、前記第１の画像処理部の処理対象領域となる第１画像データを前記第１の画像処理部へ送信し、前記第２の画像処理部の処理対象領域となる第２画像データを前記第２の画像処理部へ送信する送信手段と、
前記画像データのサイズに関する複数の条件に従って、第１の送信制御及び第２の送信制御を含む複数の送信制御の中から選択して実行する送信制御手段と、
を備え、
前記第１の送信制御は、前記第１画像データに含まれる複数のバンドデータを前記第１の画像処理部へ送信し、前記第１の画像処理部への前記複数のバンドデータの送信開始から送信終了までの間に、前記第２画像データに含まれる少なくとも１つのバンドデータを前記第２の画像処理部へ送信する制御であり、
前記第２の送信制御は、前記第１画像データに含まれる複数のバンドデータを送信した後に、前記第２画像データに含まれる複数のバンドデータを送信する制御である、
ことを特徴とする画像処理装置。
【請求項３】
前記第１の送信制御は、前記第１の画像処理部への送信と、前記第２の画像処理部への送信と、を交互に実行する制御であることを特徴とする請求項１又は２に記載の画像処理装置。
【請求項４】
前記第１の送信制御は、前記第１画像データに含まれる１バンド分のバンドデータの前記第１の画像処理部への送信と、前記第２画像データに含まれる１バンド分のバンドデータの前記第２の画像処理部への送信と、を交互に実行する制御であることを特徴とする請求項３に記載の画像処理装置。
【請求項５】
前記第１の画像処理部及び前記第２の画像処理部は、記録手段を用いて記録媒体上に画像を記録するための記録データを生成するための画像処理をそれぞれ実行することを特徴とする請求項１乃至４のいずれか１項に記載の画像処理装置。
【請求項６】
前記複数の条件は、前記印刷ジョブに対応する印刷設定である用紙サイズに関する条件と印刷解像度に関する条件を含むことを特徴とする請求項２に記載の画像処理装置。
【請求項７】
前記印刷解像度が第１の閾値よりも高い解像度であるか否かを判定する第１の判定手段、をさらに備え、
前記送信制御手段は、前記第１の判定手段により前記第１の閾値よりも高い解像度であると判定された場合、前記第２の送信制御を実行することを特徴とする請求項６に記載の画像処理装置。
【請求項８】
前記用紙サイズが第２の閾値よりも大きいか否かを判定する第２の判定手段、をさらに備え、
前記送信制御手段は、前記第２の判定手段により前記第２の閾値よりも大きいと判定された場合、前記第２の送信制御を実行することを特徴とする請求項７に記載の画像処理装置。
【請求項９】
前記第１の閾値と前記第２の閾値は、前記コントローラのバッファメモリのサイズに基づいて決定されることを特徴とする請求項８に記載の画像処理装置。
【請求項１０】
前記コントローラは、エンコードされた画像データをデコードするデコーダをさらに備え、
前記第１画像データおよび前記第２画像データは、前記デコーダによりデコードされた画像データであり、
前記デコーダはパーシャルデコードが実行できないデコーダであることを特徴とする請求項１乃至９のいずれか１項に記載の画像処理装置。
【請求項１１】
前記第１の画像処理部で生成された前記記録データと、前記第２の画像処理部で生成された前記記録データとに基づいて、記録媒体上に画像を記録する前記記録手段をさらに備えることを特徴とする請求項５に記載の画像処理装置。
【請求項１２】
前記記録手段には、搬送される記録媒体の幅方向に沿って複数の記録素子が配列されていることを特徴とする請求項１１に記載の画像処理装置。
【請求項１３】
印刷ジョブに基づいて画像データを取得するコントローラと、
前記画像データに基づいて画像処理を行う第１の画像処理部と第２の画像処理部と、を備える画像処理装置において実行される制御方法であって、
前記コントローラが、
前記画像データのうち、前記第１の画像処理部の処理対象領域となる第１画像データを前記第１の画像処理部へ送信し、前記第２の画像処理部の処理対象領域となる第２画像データを前記第２の画像処理部へ送信する送信工程と、
前記印刷ジョブに対応する印刷設定である用紙サイズを条件に、第１の送信制御及び第２の送信制御を含む複数の送信制御の中から選択して実行する送信制御工程と、
を有し、
前記第１の送信制御は、前記第１画像データに含まれる複数のバンドデータを前記第１の画像処理部へ送信し、前記第１の画像処理部への前記複数のバンドデータの送信開始から送信終了までの間に、前記第２画像データに含まれる少なくとも１つのバンドデータを前記第２の画像処理部へ送信する制御であり、
前記第２の送信制御は、前記第１画像データに含まれる複数のバンドデータを送信した後に、前記第２画像データに含まれる複数のバンドデータを送信する制御である、
ことを特徴とする制御方法。
【請求項１４】
印刷ジョブに基づいて画像データを取得するコントローラと、
前記画像データに基づいて画像処理を行う第１の画像処理部と第２の画像処理部と、を備える画像処理装置において実行される制御方法であって、
前記コントローラが、
前記画像データのうち、前記第１の画像処理部の処理対象領域となる第１画像データを前記第１の画像処理部へ送信し、前記第２の画像処理部の処理対象領域となる第２画像データを前記第２の画像処理部へ送信する送信工程と、
前記画像データのサイズに関する複数の条件に従って、第１の送信制御及び第２の送信制御を含む複数の送信制御の中から選択して実行する送信制御工程と、
を有し、
前記第１の送信制御は、前記第１画像データに含まれる複数のバンドデータを前記第１の画像処理部へ送信し、前記第１の画像処理部への前記複数のバンドデータの送信開始から送信終了までの間に、前記第２画像データに含まれる少なくとも１つのバンドデータを前記第２の画像処理部へ送信する制御であり、
前記第２の送信制御は、前記第１画像データに含まれる複数のバンドデータを送信した後に、前記第２画像データに含まれる複数のバンドデータを送信する制御である、
ことを特徴とする制御方法。
【請求項１５】
印刷ジョブに基づいて画像データを取得するコントローラと、
前記画像データに基づいて画像処理を行うＮ個の画像処理部と、を備え、
前記コントローラは、
前記画像データのうち、前記Ｎ個の画像処理部に対応するＮ個の処理対象領域それぞれに対応する画像データを前記Ｎ個の画像処理部それぞれへ送信する送信手段と、
前記印刷ジョブに対応する印刷設定である用紙サイズを条件に、第１の送信制御及び第２の送信制御を含む複数の送信制御の中から選択して実行する送信制御手段と、
を備え、
前記第１の送信制御は、前記Ｎ個の画像処理部のうちの第１の画像処理部の処理対象領域となる第１画像データに含まれる複数のバンドデータを前記第１の画像処理部へ送信し、前記第１の画像処理部への前記複数のバンドデータの送信開始から送信終了までの間に、前記Ｎ個の画像処理部のうちの第２の画像処理部の処理対象領域となる第２画像データに含まれる少なくとも１つのバンドデータを前記第２の画像処理部へ送信する制御であり、
前記第２の送信制御は、前記第１画像データに含まれる複数のバンドデータを送信した後に、前記第２画像データに含まれる複数のバンドデータを送信する制御である、
を備えることを特徴とする画像処理装置。
【請求項１６】
印刷ジョブに基づいて画像データを取得するコントローラと、
前記画像データに基づいて画像処理を行うＮ個の画像処理部と、を備え、
前記コントローラは、
前記画像データのうち、前記Ｎ個の画像処理部に対応するＮ個の処理対象領域それぞれに対応する画像データを前記Ｎ個の画像処理部それぞれへ送信する送信手段と、
前記画像データのサイズに関する複数の条件に従って、第１の送信制御及び第２の送信制御を含む複数の送信制御の中から選択して実行する送信制御手段と、
を備え、
前記第１の送信制御は、前記Ｎ個の画像処理部のうちの第１の画像処理部の処理対象領域となる第１画像データに含まれる複数のバンドデータを前記第１の画像処理部へ送信し、前記第１の画像処理部への前記複数のバンドデータの送信開始から送信終了までの間に、前記Ｎ個の画像処理部のうちの第２の画像処理部の処理対象領域となる第２画像データに含まれる少なくとも１つのバンドデータを前記第２の画像処理部へ送信する制御であり、
前記第２の送信制御は、前記第１画像データに含まれる複数のバンドデータを送信した後に、前記第２画像データに含まれる複数のバンドデータを送信する制御である、
ことを特徴とする画像処理装置。
【請求項１７】
請求項１乃至１２、請求項１５、請求項１６のいずれか１項に記載の画像処理装置の各手段としてコンピュータを機能させるためのプログラム。
【手続補正２】
【補正対象書類名】明細書
【補正対象項目名】発明の名称
【補正方法】変更
【補正の内容】
【発明の名称】画像処理装置、制御方法およびプログラム
【手続補正３】
【補正対象書類名】明細書
【補正対象項目名】０００１
【補正方法】変更
【補正の内容】
【０００１】
本発明は、画像データに基づいて記録を行う画像処理装置、制御方法およびプログラムに関する。
【手続補正４】
【補正対象書類名】明細書
【補正対象項目名】０００５
【補正方法】変更
【補正の内容】
【０００５】
本発明の目的は、このような従来の問題点を解決することにある。上記の点に鑑み、本発明は、複数の画像処理部への画像データの送信を適切に制御する画像処理装置、制御方法およびプログラムを提供することを目的とする。
【手続補正５】
【補正対象書類名】明細書
【補正対象項目名】０００６
【補正方法】変更
【補正の内容】
【０００６】
上記課題を解決するため、本発明に係る画像処理装置は、印刷ジョブに基づいて画像データを取得するコントローラと、前記画像データに基づいて画像処理を行う第１の画像処理部と第２の画像処理部と、を備え、前記コントローラは、前記画像データのうち、前記第１の画像処理部の処理対象領域となる第１画像データを前記第１の画像処理部へ送信し、前記第２の画像処理部の処理対象領域となる第２画像データを前記第２の画像処理部へ送信する送信手段と、前記印刷ジョブに対応する印刷設定である用紙サイズを条件に、第１の送信制御及び第２の送信制御を含む複数の送信制御の中から選択して実行する送信制御手段と、を備え、前記第１の送信制御は、前記第１画像データに含まれる複数のバンドデータを前記第１の画像処理部へ送信し、前記第１の画像処理部への前記複数のバンドデータの送信開始から送信終了までの間に、前記第２画像データに含まれる少なくとも１つのバンドデータを前記第２の画像処理部へ送信する制御であり、前記第２の送信制御は、前記第１画像データに含まれる複数のバンドデータを送信した後に、前記第２画像データに含まれる複数のバンドデータを送信する制御であることを特徴とする。